(57)【要約】【課題】電池の装填、取り出し、交換作業を容易に行えるようにした電池ケースおよび電子機器の筐体構造を提供する。【解決手段】筐体１の電池収納用凹部３に装填される電池ケース２は、電池収納用凹部３を覆う蓋１１と、蓋１１に一体的に設けられた電池収納部１２とを備えている。電池収納部１２は、両端が開放する筒部１５Ａ、１５Ｂ、１５Ｃを有し、これらの内部が電池４を収納する電池収納孔１６を形成する。電池収納孔１６の一端開口部は、プラス電極側開口部１７を形成し、他端開口部はマイナス電極側開口部１８を形成している。また、電池収納部１２は、プラス電極側開口部１７に設けられ電池４の挿入側端を係止して抜けを防止する係止部２０と、電池４の外周を押圧する押圧部２３とを有する。【選択図】  図２
2010092737.tif 000002
【特許請求の範囲】
【請求項１】
電子機器の筐体に設けた電池収納用凹部に装填される電池ケースにおいて、
前記筐体に着脱可能に取付けられ前記電池収納用凹部を覆う蓋と、
前記蓋に一体的に設けられ電池を収納する電池収納部とを備え、
前記電池収納部は、両端が開放する筒状に形成されることにより、一端開口部がプラス電極側開口部を形成し、他端開口部がマイナス電極側開口部を形成し、前記電池が前記マイナス電極側開口部から挿入される電池収納孔と、前記プラス電極側開口部に設けられ前記電池の挿入側端を係止する係止部と、前記電池の外周を押圧する押圧部とを有し、
前記電池収納部を電池収納用凹部内に収納して前記蓋を前記筐体に固定することにより前記電池のプラス電極とマイナス電極が前記電池収納用凹部内のプラス接触子とマイナス接触子にそれぞれ電気的に接続されることを特徴とする電池ケース。
【請求項２】
請求項１記載の電池ケースにおいて、
前記電池収納部の係止部は、弾性変形自在な導電材からなり電池のプラス電極をマイナス電極方向に押圧する弾性片であって、電池収納部の電池収納用凹部内への収納により、プラス接触子とプラス電極との間に介在されてこれら両部材を電気的に接続することを特徴とする電池ケース。
【請求項３】
請求項２記載の電池ケースにおいて、
前記弾性片は、電池がマイナス電極側からプラス電極側への押圧により弾性変形して電池収納孔のプラス電極側開口部を開放することを特徴とする電池ケース。
【請求項４】
請求項２または３記載の電池ケースにおいて、
前記弾性片には、電池の逆組込み時におけるマイナス電極と前記弾性片との接触を遮断する接触遮断部材が取付けられていることを特徴とする電池ケース。
【請求項５】
請求項１〜４のうちのいずれか一項記載の電池ケースにおいて、
前記電池収納部の表面には、電池の電池収納孔に対する収納方向を示す収納方向表示部が設けられていることを特徴とする電池ケース。
【請求項６】
電池収納用凹部を有する筐体と、前記電池収納用凹部に着脱可能に装填される電池ケースとを備えた電子機器の筐体構造において、
前記電池ケースは、前記電池収納用凹部を覆う蓋と、この蓋に設けられ電池を収納する電池収納部とを有し、
前記電池収納部は、両端が開放する筒状に形成されることにより、一端開口部がプラス電極側開口部を形成し、他端開口部がマイナス電極側開口部を形成し、前記電池が前記マイナス電極側開口部から挿入される電池収納孔と、前記プラス電極側開口部に設けられ前記電池の挿入側端を係止する係止部と、前記電池の外周を押圧する押圧部とを有し、
前記電池収納部を電池収納用凹部内に収納して前記蓋を前記筐体に固定することにより、前記電池のプラス電極とマイナス電極が前記電池収納用凹部内のプラス接触子とマイナス接触子にそれぞれ電気的に接続されることを特徴とする電子機器の筐体構造。
【発明の詳細な説明】
【技術分野】
【０００１】
本発明は、電池の収納、取り出し、交換作業が容易な電池ケースおよび電子機器の筐体構造に関するものである。
【背景技術】
【０００２】
電池駆動型の電子機器は、通常筐体に設けた電池収納用凹部に直接電池を収納して蓋をするタイプが多く、このため電池交換が煩雑な場合が多い。
【０００３】
そこで、電池ケースを筐体の電池収納用凹部から取り外し、外部で電池を交換した後、電池ケースを電池収納用凹部に再装填するタイプのものが従来から種々提案されている（例えば、特許文献１〜３参照）。
【０００４】
前記特許文献１に記載されている電池ケースロック機構は、携帯用電子機器のケースに電池ケースを収納する凹部と、電池ケースを係止するためのレリーズレバーを設けている。レリーズレバーは、凹部に電池ケースを差し込むと、突起を支点として回動し、これによりレリースレバーの第１係合部と電池ケースの第２係合部が互いに係合することにより、電池ケースを凹部の所定位置にロックする。電池ケースを凹部から取り出す時は、レリースレバーを押圧して回動させ、第１係合部と第２係合部との係合を解除することにより行われる。
【０００５】
特許文献２に記載されている電池ケースは、電池ケースをケース本体とケースカバーとで構成し、ケースカバーの内面に貼着した板状マグネットの吸着力でケースカバーを電池に取付けるものである。
【０００６】
特許文献３に記載されている電子機器の筐体構造は、機器筐体の上部ケースに形成した電池ケース収容凹部に電池ケースを装着している。また、電池ケース収容凹部の底壁と内側側壁とを囲繞する熱遮蔽板を凹部内に設け、この熱遮蔽板と凹部との間に形成した空間内に空気を対流させるようにしている。
【０００７】
【特許文献１】特開平６−１４０００７号公報
【特許文献２】特開２００１−２１０２８９号公報
【特許文献３】特開２００１−２１０９６７号公報
【発明の開示】
【発明が解決しようとする課題】
【０００８】
しかしながら、従来の電池ケースは、一般に電池をケースから取り出すときに、指の爪を電池に引っ掛けて取り出すことが多いため、電池をケースから取り出し難いという問題があった。
【０００９】
この他、ケースの内底面に紐、テープなどを付設しておき、電池をケースから取り出すときに、紐またはテープを引っ張って電池を取り出す構造のものも知られている。しかし、このような構造においては、紐またはテープを強く引っ張ると、電池が勢いよく飛び出してケースから落下するおそれがあるため、取り出しに注意を要するという問題があった。
また、上記特許文献２と同様に、余分な部品を必要とするため、部品点数、組立工数等も増加する。
【００１０】
また、電池の逆装填を防止するために、ケースに電池の収納方向を、「＋」、「−」の記号や文字、あるいはシールによって表示しているが、いずれも表示が小さかったり、ケース内部に表示されていると見にくいという問題もあった。
【００１１】
本発明は、上記した従来の問題を解決するためになされたもので、その目的とするところは、電池の装填、取り出し、交換作業を容易に行えるようにした電池ケースおよび電子機器の筐体構造を提供することにある。
【課題を解決するための手段】
【００１２】
上記目的を達成するために本発明は、電子機器の筐体に設けた電池収納用凹部に装填される電池ケースにおいて、前記筐体に着脱可能に取付けられ前記電池収納用凹部を覆う蓋と、前記蓋に一体的に設けられ電池を収納する電池収納部とを備え、前記電池収納部は、両端が開放する筒状に形成されることにより、一端開口部がプラス電極側開口部を形成し、他端開口部がマイナス電極側開口部を形成し、前記電池が前記マイナス電極側開口部から挿入される電池収納孔と、前記プラス電極側開口部に設けられ前記電池の挿入側端を係止する係止部と、前記電池の外周を押圧する押圧部とを有し、前記電池収納部を電池収納用凹部内に収納して前記蓋を前記筐体に固定すると前記電池のプラス電極とマイナス電極が前記電池収納用凹部内のプラス接触子とマイナス接触子にそれぞれ電気的に接続されるものである。
【００１３】
また、本発明は、上記発明において、前記電池収納部の係止部が、弾性変形自在な導電材からなり電池のプラス電極をマイナス電極方向に押圧する弾性片であって、電池収納部の電池収納用凹部内への収納により、プラス接触子とプラス電極との間に介在されてこれら両部材を電気的に接続するものである。
【００１４】
また、本発明は、上記発明において、前記弾性片が、電池がマイナス電極側からプラス電極側への押圧により弾性変形して電池収納部のプラス電極側開口部を開放するものである。
【００１５】
また、本発明は、上記発明において、前記弾性片には、電池の逆組込み時におけるマイナス電極と前記弾性片との接触を遮断する接触遮断部材が取付けられているものである。
【００１６】
また、本発明は、上記発明において、前記電池収納部の表面には、電池の電池収納孔に対する収納方向を示す収納方向表示部が設けられているものである。
【００１７】
また、本発明は、電池収納用凹部を有する筐体と、前記電池収納用凹部に着脱可能に装填される電池ケースとを備えた電子機器の筐体構造において、前記電池ケースは、前記電池収納用凹部を覆う蓋と、この蓋に設けられ電池を収納する電池収納部とを有し、前記電池収納部は、両端が開放する筒状に形成されることにより、一端開口部がプラス電極側開口部を形成し、他端開口部がマイナス電極側開口部を形成し、前記電池が前記マイナス電極側開口部から挿入される電池収納孔と、前記プラス電極側開口部に設けられ前記電池の挿入側端を係止する係止部と、前記電池の外周を押圧する押圧部とを有し、前記電池収納部を電池収納用凹部内に収納して前記蓋を前記筐体に固定することにより、前記電池のプラス電極とマイナス電極が前記電池収納用凹部内のプラス接触子とマイナス接触子にそれぞれ電気的に接続されるものである。
【発明の効果】
【００１８】
本発明においては、電池の装填時に電池ケースの電池収納孔にマイナス電極側開口部から電池を押し込み、電池ケースから取り出すときは、プラス電極またはマイナス電極を押圧すると電池収納孔から取り出すことができ、電池収納孔に対する電池の装着、取り出し、交換作業が容易である。押圧部は、電池を押圧して固定し、電池のがたつき、回転、抜け等を防止する。係止部は電池がプラス電極側開口部から不測に脱落するのを防止する。
【００１９】
係止部を導電材からなる弾性片で構成した発明においては、弾性片がプラス電極とプラス接触子との間に介在されていることにより、これらを電気的に接続する。電池のマイナス電極側を押圧することにより、弾性片をプラス電極に押して回動させプラス電極側開口部を開いて電池の取り出しを可能にする。
【００２０】
弾性片に接触遮断防止部材を設けた発明においては、電池を電池収納孔に誤って逆向きに収納してしまっても、弾性片とマイナス電極が接触せず、電池収納用凹部内に電池ケースを装着しても電源が入らず、電池が誤装填されていることが判る。
収納方向表示部を備えた発明においては、収納方向表示部によって電池の収納方向を確認することにより、誤装填を未然に防止することができる。
【発明を実施するための最良の形態】
【００２１】
以下、本発明を図面に示す実施の形態に基づいて詳細に説明する。
図１は本発明に係る電子機器の筐体構造の一実施の形態を示す要部の断面図、図２は同筐体構造の要部を示す分解斜視図である。これらの図において、１は電子機器の筐体、２は筐体１に着脱可能に装着される電池ケースである。筐体１は、矩形箱型に形成され、外表面の一部に矩形の電池収納用凹部３を有する電池ケース取付部５が設けられている。電池収納用凹部３は、電池４、例えば汎用の単４型電池を３本収納し得る広さと深さとを有し、互いに対向する２つの内壁面３ａ、３ｂには、一対一組とする３組のプラス接触子６Ａ、６Ｂ、６Ｃおよびマイナス接触子７Ａ、７Ｂ、７Ｃが互いに対向して配設されている。これらのプラス接触子６Ａ、６Ｂ、６Ｃ、マイナス接触子７Ａ、７Ｂ、７Ｃのうち、プラス接触子６Ａとマイナス接触子７Ｃは、電源回路のプラス端子とマイナス端子にそれぞれ電気的に接続されている。また、プラス接触子６Ｂと６Ｃおよびマイナス接触子７Ａと７Ｂは、直接または配線によってそれぞれ電気的に接続されている。各プラス接触子６Ａ、６Ｂ、６Ｃ、マイナス接触子７Ａ、７Ｂ、７Ｃの先端部は、電池収納用凹部３内に突出し、電池４のプラス電極８とマイナス電極９が接触する接続端部６ａ、６ｂ、６ｃ、７ａ、７ｂ、７ｃを形成している。これらの接続端部６ａ、６ｂ、６ｃ、７ａ、７ｂ、７ｃは、側面視略Ｊ字状に折り曲げられて片持ち支持され板厚方向に弾性変形可能である。電池ケース取付部５の表面で互いに対向する２辺には、ねじ孔１０がそれぞれ形成されている。なお、３組の接触子の極性を同一方向に揃えて配置してもよい。
【００２２】
前記電池ケース２は、筐体１の電池ケース取付部５と略同一の大きさの板体からなる蓋１１と、この蓋１１の裏面１１ａの中央に一体的に設けられた電池収納部１２とで構成されている。蓋１１の互いに対向する両側縁部には、２つのねじ取付用孔１３が前記電池ケース取付部５のねじ孔１０に対応してそれぞれ形成されている。
【００２３】
前記電池収納部１２は、樹脂の一体成形によって形成された角筒体からなり、内部が２つの仕切壁１４によって電池４の挿入方向と直交する方向に仕切られた３つの筒部１５Ａ、１５Ｂ、１５Ｃで構成されている。各筒部１５Ａ、１５Ｂ、１５Ｃは、長さが電池４の長さと略等しく、内形状が電池４が略内接または若干の隙間をもって挿入され得る大きさで、両端が開放する電池収納孔１６をそれぞれ有し、その一端開口部がプラス電極側開口部１７を形成し、他端開口部がマイナス電極側開口部１８を形成している。また、筒部１５Ａ、１５Ｂ、１５Ｃは、長手方向中心線を挟んで左右対称な形状ではなく、前記プラス接触子６Ａ、６Ｂ、６Ｃ、マイナス接触子７Ａ、７Ｂ、７Ｃに対応するように、向きが交互に逆向きになるように配列されている。各筒部１５Ａ、１５Ｂ、１５Ｃのプラス電極側開口部１７には、電池４の電池本体４Ａのプラス電極側端面４０を係止することにより電池４の抜けを防止する係止部２０が一体に設けられている。一方、マイナス電極側開口部１８は、電池４の挿入口兼取出口として機能させるために、係止部が設けられておらず、筒部１５Ａ、１５Ｂ、１５Ｃの断面形状と同一の大きさの開口を形成している。
【００２４】
また、各筒部１５Ａ、１５Ｂ、１５Ｃの表面板２１には、電池４を電池収納孔１６の内底面２２に押し付ける押圧部２３が設けられているとともに、電池４のプラス電極８とマイナス電極９の方向を示す「＋」のマークＭ1 と、「−」のマークＭ2 が表示されている。押圧部２３は、表面板２１の長手方向に長い略コ字状のスリット２４を形成することによって長手方向両側縁と短辺側の一側縁が表面板２１から切り離された細長い矩形の舌片状に形成され、この先端部の裏面には断面形状がＶ字状の突条体２６が一体に突設されている。スリット２４の短辺側スリット部２４ａの中央には、矩形の凹部２８が連設されており、これによってスリット２４の全体形状が電池４と略同形状（細長い凸形状）をイメージさせ、前記マークＭ1 、Ｍ2 とともに、電池４の電池収納孔１６への収納方向を示す収納方向表示部を形成している。
【００２５】
前記マークＭ1 は表面板２１の表面でプラス電極側開口部１７付近に表示され、マークＭ2 はマイナス電極側開口部１８付近に表示されている。
【００２６】
さらに、表面板２１の表面両端部には、電池４の収納、取出時に指先の腹の部分を逃がす矩形の凹部２９、３０がそれぞれ形成されている。凹部２９は、取出時に電池４のプラス電極８を指で押し込むときに指先の腹の部分を逃がす。凹部３０は、収納時に電池４を電池収納孔１６に押し込むときに指先の腹の部分を逃がす。
【００２７】
このような構造からなる電子機器の筐体構造において、電池４を筐体１の電池収納用凹部３内に装着するときは、各電池４を電池ケース２の各電池収納孔１６内に、電池４の向きを確かめてそのプラス電極８を挿入側として、マイナス電極側開口部１８から押し込む。電池４を一定量押し込むと、押圧部２３の突条部２６が電池４の外周面に当たって外側に弾性変形し、その弾撥力で電池４を電池収納孔１６の内底面２２に押し付ける。さらに、電池４を押し込むと、電池４のプラス電極側端面４０が係止部２０の内面に当接し、もって電池４の電池収納孔１６への収納を終了する。この収納状態において、電池４のプラス電極８はプラス電極側開口部１７から突出し、マイナス電極９はマイナス電極側開口部１８の開口面と略同一面を形成している。
【００２８】
次に、電池ケース２を筐体１の電池収納用凹部３に装填する。装填に際しては、電池４のプラス電極８とマイナス電極９がプラス接触子６Ａ、６Ｂ、６Ｃ、マイナス接触子７Ａ、７Ｂ、７Ｃとそれぞれ一致するように電池収納部１２を電池収納用凹部３内に押し込み、蓋１１を電池ケース取付部５の表面に密接させる。電池収納部１２を押し込むことにより、各電池４はプラス接触子６Ａ、６Ｂ、６Ｃとマイナス接触子７Ａ、７Ｂ、７Ｃの接続端部６ａ、６ｂ、６ｃと７ａ、７ｂ、７ｃとの間にそれぞれ押し込こまれて弾性的に挟持される。すなわち、プラス接触子６Ａ、６Ｂ、６Ｃとマイナス接触子７Ａ、７Ｂ、７Ｃの接続端部６ａ、６ｂ、６ｃ、７ａ、７ｂ、７ｃは、電池４の装填により、電池４から離間する方向に弾性変形し、その弾撥力で電池４のプラス電極８とマイナス電極９を押圧挟持し、良好な電気的接続を得る。そして、２本の止めねじ４４をねじ取付用孔１３に挿通してねじ孔１０にねじ込むことにより、電池ケース２の筐体１への取付を終了する。
【００２９】
電池４が消耗して新しいものに交換するときは、止めねじ４４を外して電池ケース２を筐体１から外した後、各電池収納孔１６に収納されている電池４のプラス電極８を順次指で一定量押し込み、電池４のマイナス側端部をマイナス電極側開口部１８から所定量突出させる。そして、その突出端部を指で把持して電池収納孔１６から引き出し、新しい電池を代わりに上記したと同様に押し込んだ後、電池ケース２を再度筐体１の電池収納用凹部３に装填する。
【００３０】
このような電子機器の筐体構造においては、電池ケース２の電池収納孔１６に電池４を押し込んだり押し出たりするだけでよいので、指の爪を電池４に引っ掛ける必要がなく、また勢いよく飛び出したりするおそれもなく、電池４の装填、取り出し、交換作業が容易である。
【００３１】
また、電池ケース２は、電池収納部１２の表面に電池４の収納方向を表示する収納方向表示部としてスリット２４とマークＭ1 、Ｍ2 を設けているので、誤って電池４の向きを逆にして収納する事故を未然に防止することができる。
【００３２】
また、電池ケース２は、押圧部２３によって電池４の外周を軽く押圧して電池収納孔１６の内底面２２に押し付けているので、電池４が不必要に動いたり、マイナス電極側開口部１８から脱落するようなことがない。
【００３３】
図３は本発明の他の実施の形態を示す電池ケースの要部の斜視図、図４は筐体構造の要部の断面図、図５は電池の取り出し時の様子を示す要部の断面図である。
本実施の形態は、電池ケース２の電池収納部１２の各プラス電極側開口部１７に設けられ電池４の挿入側端を係止する係止部として、弾性変形自在な導電材からなり電池４のプラス電極８を収納孔１６の内部側、言い換えればマイナス電極９方向に押圧する弾性片５０を用いたものである。弾性片５０は、剛体からなる板状の押圧片５０Ａと、この押圧片５０Ａの基端に一体に連設された側面視略Ｃ字状の薄肉の弾性変形部５０Ｂと、この弾性変形部５０Ｂの押圧片５０Ａ側端部とは反対側端に一体に連設された固定部５０Ｃとで構成されており、固定部５０Ｃが表面板２１の表面でプラス電極側開口部１７側に止めねじ５２によって固定されていることにより、押圧片５０Ａによって通常プラス電極側開口部１７を塞いでいる。また、押圧片５０Ａの内側面先端部には、電池４のプラス電極８の先端面を押圧する凸部５３が一体に突設され、基端側には絶縁材料からなる接触遮断部材５４が固着されている。接触遮断部材５４は、電池収納孔１６に電池４を誤ってマイナス電極９側から挿入したとき、マイナス電極９と押圧片５０Ａの凸部５３が接触するのを防止するためのもので、厚さが凸部５３の突出寸法より厚く形成されている。なお、その他の構造は上記した実施の形態と略同様であるため、同一構成部品、部分については同一符号を以て示し、その説明を省略する。
【００３４】
このような電子機器の筐体構造において、電池４を電池ケース２の電池収納孔１６に収納することにより、プラス電極８が弾性片５０の凸部５３に当接して停止し、これによって電池４が電池収納孔１６に正常に収納されたことを確認することができる。この状態において、電池４のプラス電極側端面４０は、接触遮断部材５４に接触することはない。
【００３５】
電池ケース２を筐体１の電池収納用凹部３に装着することにより、弾性片５０の押圧片５０Ａは、プラス接触子６Ａの接続端部６ａに接触し、これによりプラス接触子６Ａとプラス電極８を電気的に接続する。
【００３６】
電池ケース２を電池収納孔１６から取り出し、電池４を新しい電池と交換するときは、電池４のマイナス電極９を指で押圧して移動させるか、または図５に示すように新しい電池４Ａのプラス電極８Ａを電池収納孔１６に収納されている古い電池４のマイナス電極９に押し付けて移動させ、そのプラス電極８を押圧片５０Ａの凸部５３に押し付ける。プラス電極８が凸部５３を押圧すると、弾性片５０は弾性変形部５０Ｂが外側に弾性変形することにより電池収納孔１６のプラス電極側開口部１７を開く。そして、この状態で古い電池４のプラス電極側端部を指で把持して電池収納孔１６から引き出だすか、または新しい電池４Ａをそのまま押し込み古い電池４を押し出す。
【００３７】
このような構造においても、上記した実施の形態と同様に電極４の収納、取り出し、交換作業が容易であることは明らかであろう。
【図面の簡単な説明】
【００３８】
【図１】本発明に係る電子機器の筐体構造の一実施の形態を示す要部の断面図である。
【図２】同筐体構造の要部を示す分解斜視図である。
【図３】本発明の他の実施の形態を示す電池ケースの要部の斜視図である。
【図４】筐体構造の要部の断面図である。
【図５】電池の取り出し時の様子を示す要部の断面図である。
【符号の説明】
【００３９】
１…筐体、２…電池ケース、３…電池収納用凹部、４…電池、６Ａ〜６Ｃ…プラス接触子、７Ａ〜７Ｃ…マイナス接触子、８…プラス電極、９…マイナス電極、１１…蓋、１２…電池収納部、１６…電池収納孔、１７…プラス電極側開口部、１８…マイナス電極側開口部、２０…係止部、２３…押圧部、２４…スリット（収納方向表示部）、５０…弾性片、５０Ａ…押圧片、５０Ｂ…弾性変形部、５０Ｃ…固定部、５４…接触遮断部材。
【図１】
2010092737.tif 000003
【図２】
2010092737.tif 000004
【図３】
2010092737.tif 000005
【図４】
2010092737.tif 000006
【図５】
2010092737.tif 000007